(57)【要約】【課題】より興趣に富み、提灯に親しみながら楽しく、かつより容易に提灯を作製することができる提灯作製キットを提供する。【解決手段】本考案の提灯作製キット１は、拡開または収縮可能な火袋２と、火袋２内に配置される光源３と、火袋２を拡開状態で保持すると共に火袋２内に光源３を配置するための支持部材４とを有し、支持部材４は複数の板状部品５からなり、複数の板状部品５は連結部６を介して連結された平板状材７にて構成されている。【選択図】図１
0003233884.tif 000002
【実用新案登録請求の範囲】
【請求項１】
拡開または収縮可能な火袋と、該火袋内に配置される光源と、前記火袋を拡開状態で保持すると共に前記火袋内に前記光源を配置するための支持部材とを有し、該支持部材は複数の板状部品からなり、該複数の板状部品は連結部を介して連結された平板状材にて構成されていることを特徴とする提灯作製キット。
【請求項２】
前記板状部品の近傍の連結部には、作製手順に沿った部品番号を表示した部品番号表示部がそれぞれ設けられている請求項１に記載の提灯作製キット。
【請求項３】
前記板状部品は、支柱部と、該支柱部の下部に交差するように嵌合される下部交差部と、前記光源を上方から保持するための光源保持部とを有している請求項１または２に記載の提灯作製キット。
【請求項４】
前記支柱部は、上下方向に沿って設けられた複数の溝からなる係止部を有し、該係止部は前記光源保持部を所要の溝にて係止することで前記光源保持部の配置高さを調整可能に構成されている請求項３に記載の提灯作製キット。
【請求項５】
前記板状部品は、前記光源を嵌め入れるための嵌入穴を有した光源嵌入部を有している請求項１ないし４のいずれかに記載の提灯作製キット。
【請求項６】
前記板状部品は、前記支柱部の上部に交差するように嵌合される上部交差部と、提灯吊り下げ用フックを有し、該提灯吊り下げ用フックは、前記上部交差部のフック装着口に装着可能に構成されている請求項１ないし５のいずれかに記載の提灯作製キット。
【考案の詳細な説明】
【技術分野】
【０００１】
本考案は、手軽に提灯を作製することができる提灯作製キットに関するものである。
【背景技術】
【０００２】
従来より、拡開または収縮可能な火袋と、火袋内に配置される光源と、火袋を拡開状態で保持すると共に火袋内に光源を配置するための支持部材とを有し、提灯を組み立て、または分解してコンパクトに包装可能な提灯（実用新案登録第３１５２４３４号公報）が提案されている。
【先行技術文献】
【特許文献】
【０００３】
【特許文献１】実用新案登録第３１５２４３４号公報
【考案の概要】
【考案が解決しようとする課題】
【０００４】
本願考案者は、上記組み立て分解可能な提灯を、より楽しくかつより容易に作製できることを目的として本考案を成したものであり、すなわち、本考案の課題は、より興趣に富み、提灯に親しみながら楽しくかつより容易に提灯を作製することができる提灯作製キットを提供することにある。
【課題を解決するための手段】
【０００５】
上記課題を解決するものは、拡開または収縮可能な火袋と、該火袋内に配置される光源と、前記火袋を拡開状態で保持すると共に前記火袋内に前記光源を配置するための支持部材とを有し、該支持部材は複数の板状部品からなり、該複数の板状部品は連結部を介して連結された平板状材にて構成されていることを特徴とする提灯作製キットである（請求項１）。
【０００６】
前記板状部品の近傍の連結部には、作製手順に沿った部品番号を表示した部品番号表示部が設けられていることが好ましい（請求項２）。前記板状部品は、支柱部と、該支柱部の下部に交差するように嵌合される下部交差部と、前記光源を上方から保持するための光源保持部とを有していることが好ましい（請求項３）。前記支柱部は、上下方向に沿って設けられた複数の溝からなる係止部を有し、該係止部は前記光源保持部を所要の溝にて係止することで前記光源保持部の配置高さを調整可能に構成されていることが好ましい（請求項４）。前記板状部品は、前記光源を嵌め入れるための嵌入穴を有した光源嵌入部を有していることが好ましい（請求項５）。前記板状部品は、前記支柱部の上部に交差するように嵌合される上部交差部と、提灯吊り下げ用フックを有し、該提灯吊り下げ用フックは、前記上部交差部のフック装着口に装着可能に構成されていることが好ましい（請求項６）。
【考案の効果】
【０００７】
請求項１に記載した提灯作製キットによれば、より興趣に富み、提灯に親しみながら楽しくかつより容易に提灯を作製することができる。
請求項２に記載した提灯作製キットによれば、提灯の作製手順に沿って部品番号表示部を見ながら各板状部品を順次分離してより容易に提灯を作製することができる。
請求項３に記載した提灯作製キットによれば、火袋を拡開状態で保持できると共に火袋内に光源を安定的に配置することができる。
請求項４に記載した提灯作製キットによれば、火袋内に光源を高さに応じてより安定して配置することができる。
請求項５に記載した提灯作製キットによれば、火袋内に光源をより確実に配置することができる。
請求項６に記載した提灯作製キットによれば、提灯を吊り下げて使用することができる。
【図面の簡単な説明】
【０００８】
【図１】本考案の提灯作製キットの一実施例を説明するための説明図である。
【図２】図１に示した提灯作製キットの平板状材の平面図である。
【図３】図１に示した提灯作製キットの火袋の斜視図である。
【図４】図１に示した提灯作製キットの光源の斜視図である。
【図５】図４に示した光源の底面図である。
【図６】図１に示した提灯作製キットの組み立て手順を説明するための斜視図である。
【図７】図１に示した提灯作製キットの組み立て手順を説明するための斜視図である。
【図８】図１に示した提灯作製キットの組み立て手順を説明するための斜視図である。
【図９】図１に示した提灯作製キットの組み立て手順を説明するための斜視図である。
【図１０】図１に示した提灯作製キットの組み立て手順を説明するための斜視図である。
【考案を実施するための形態】
【０００９】
本考案では、拡開または収縮可能な火袋２と、火袋２内に配置される光源３と、火袋２を拡開状態で保持すると共に火袋２内に光源３を配置するための支持部材４とを有し、支持部材４は複数の板状部品５からなり、複数の板状部品５は連結部６を介して連結された平板状材７にて構成されていることで、より興趣に富み、提灯に親しみながら楽しく、かつより容易に提灯を作製することができる提灯作製キット１を実現した。
【実施例１】
【００１０】
本考案の提灯作製キットを図１ないし図１０に示した一実施例を用いて説明する。
この実施例の提灯作製キット１は、図１ないし図５に示すように、拡開または収縮可能な火袋２と、火袋２内に配置される光源３と、火袋２を拡開状態で保持すると共に火袋２内に光源３を配置するための支持部材４とを有し、支持部材４は複数の板状部品５からなり、複数の板状部品５は連結部６を介して連結された平板状材７にて構成されている。以下、各構成について順次詳述する。
【００１１】
火袋２は提灯の本体部分であり、上下方向に拡開した状態が図１０に示した状態であり、収縮した状態が図３に示した状態である。この実施例の拡開状態の火袋２は略球状をなし、上下方向で相対向して形成された円形状の上開口部２ａと下開口部２ｂとを有し、上開口部２ａと下開口部２ｂとを互いに離隔させて上下方向へ広げることができるように構成されている。
【００１２】
光源３は、火袋２内に配置されて火袋２の内側全体および火袋２の外方を照らすためのものであり、この実施例の光源３は、図４または図５に示すように、カップ蝋燭型ＬＥＤにて構成されており、内部に電池（図示しない）を有してスイッチ３ａをＯＮにすると点灯状態となるように構成されている。ただし、光源はこれに限定されるのではなく、火袋２の内外を照らすことができるものであればどのようなものでもよい。
【００１３】
支持部材４は、火袋２を拡開状態で保持すると共に火袋２内に光源３を配置するためのものであり、図２に示すように、複数の板状部品５（この実施例では、支柱部８、下部交差部９、光源保持部１０、光源嵌入部１１、上部交差部１２、提灯吊り下げ用フック１３）から構成されている。
【００１４】
そして、これらの板状部品５（支柱部８、下部交差部９、光源保持部１０、光源嵌入部１１、上部交差部１２、提灯吊り下げ用フック１３）は、連結部６を介して連結された平板状材７にて構成されている。平板状材としては、例えば硬質紙（例えば和紙）などにて板状部品５（支柱部８、下部交差部９、光源保持部１０、光源嵌入部１１、上部交差部１２、提灯吊り下げ用フック１３）、連結部６および部品番号表示部１４以外を打ち抜いて形成したものや、プラモデルと同様に樹脂材料にて射出成形したものなどが好適に使用できる。
【００１５】
板状部品５（支柱部８、下部交差部９、光源保持部１０、光源嵌入部１１、上部交差部１２、提灯吊り下げ用フック１３）の近傍の連結部６には、それぞれ作製手順に沿った部品番号を表示した部品番号表示部１４が設けられている。これにより、提灯の作製手順に沿って部品番号表示部１４を見ながら各板状部品５（支柱部８、下部交差部９、光源保持部１０、光源嵌入部１１、上部交差部１２、提灯吊り下げ用フック１３）を順次分離して、プラモデルを作製する時のように組み立てて行くことができるため、より容易に提灯を作製することができる。
【００１６】
具体的には、この実施例の板状部品５は、支柱部８と、支柱部６の下部に交差するように嵌合される下部交差部９と、光源３を上方から保持するための光源保持部１０を有している。これらにより、火袋２を拡開状態で保持できると共に火袋２内に光源３を安定的に配置することができる。
【００１７】
支柱部８は、火袋２の上開口部２ａと下開口部２ｂとの間で拡開状態の火袋２に挿通されて火袋２を支持するものである。図６に示すように、上支持部１５と、下支持部１６と、上支持部１５と下支持部１６との間で枠状に設けられた支柱本体１７を有している。
【００１８】
支柱本体１７は、上枠部１７ａと、左右方向の両側で相対向する両枠部１７ｂ，１７ｃと、下枠部１７ｄとを有している。
【００１９】
支柱本体１７の両枠部１７ｂ，１７ｃは、上下方向に沿って設けられた複数の溝からなる係止部１７ｅ，１７ｆをそれぞれ有しており、図８に示すように、係止部１７ｅ，１７ｆが光源保持部１０を所要の溝にて係止することで光源保持部１０の配置高さを調整可能に構成されている。これにより、光源３の高さに応じてより安定して配置することができる。
【００２０】
下部交差部９は、図６に示すように、支柱部８の下部（下枠部１７ｄ）に十字状に交差するように嵌合されるものであり、これにより、その上方に光源３を配置可能とすると共に立設可能な提灯を構成できる。
【００２１】
光源嵌入部１１は、光源３を嵌め入れるための嵌入穴１１ａを有しており、図７または図８に示すように、光源３の下方に配置して光源３を嵌入穴１１ａ内に配することで光源３をより確実に保持することができる。
【００２２】
上部交差部１２は、支柱部８の上部（上支持部１５）に十字状に交差するように嵌合されるものであり、図６に示すように、フック装着口１２ａを有している。
【００２３】
提灯吊り下げ用フック１３は、上部交差部１２のフック装着口１２ａに装着可能なものであり、この実施例ではＳ字形状に構成されており、図９に示すように、下部側を上部交差部１２のフック装着口１２ａに挿入して上部側を吊り下げる部位に係合させることにより提灯を吊り下げて使用することができる。
【００２４】
つぎに、本発明の提灯作製キットによる提灯作製キット１の組み立て方法について説明する。
提灯作製キット１を組み立てるには、まず、平板状材７から部品番号１番の支柱部８と部品番号２の上部交差部１２を切り離し、図６に示すように、上部交差部１２のスリット１２ｂと支柱部８のスリット８ａを係合させて支柱部８の上部（上支持部１５）に上部交差部１２を嵌合させる。
【００２５】
つぎに、部品番号３番の下部交差部９を平板状材７から切り離して、図６に示すように、下部交差部９のスリット９ａと支柱部８のスリット８ｂを係合させて支柱部８の下部（下枠部１７ｄ）に十字状に交差するように下部交差部９を嵌合させる。
【００２６】
そして、部品番号４番の光源嵌入部１１を平板状材７から切り離して、図７に示すように、支柱部８と十字状に交差した下部交差部９の上部に光源嵌入部１１を載置して嵌入させる。その後、図８に示すように、光源嵌入部１１の嵌入穴１１ａ内に光源３を嵌入させて配置する。
【００２７】
さらに、図８に示すように、光源保持部１０の両端部１０ａ，１０ｂを、支柱本体１７の両枠部１７ｂ，１７ｃに設けられた係止部１７ｅ，１７ｆのうち、光源３の高さに応じた溝に挿入して係止させる。
【００２８】
つぎに、図９または図１０に示すように、提灯吊り下げ用フック１３を、上部交差部１２のフック装着口１２ａに装着すると共に、火袋２を支柱部８に取り付けて提灯が完成する。このように、本考案の提灯作製キット１は、平板状材７から順次切り離した板状部品５（支柱部８、下部交差部９、光源保持部１０、光源嵌入部１１、上部交差部１２、提灯吊り下げ用フック１３）と、光源３および火袋２を順次組み付けて行くことでより興趣に富み、提灯に親しみながら楽しく、かつより容易に提灯を作製することができるよう構成されている。
【符号の説明】
【００２９】
１          提灯作製キット
２          火袋
３          光源
４          支持部材
５          板状部品
６          連結部
７          平板状材
８          支柱部
９          下部交差部
１０        光源保持部
１１        光源嵌入部
１２        上部交差部
１３        提灯吊り下げ用フック
１４       部品番号表示部
１５        上支持部
１６        下支持部
１７        支柱本体
【図１】
0003233884.tif 000003
【図２】
0003233884.tif 000004
【図３】
0003233884.tif 000005
【図４】
0003233884.tif 000006
【図５】
0003233884.tif 000007
【図６】
0003233884.tif 000008
【図７】
0003233884.tif 000009
【図８】
0003233884.tif 000010
【図９】
0003233884.tif 000011
【図１０】
0003233884.tif 000012